(57)【要約】      （修正有）【課題】水中の不純物・微生物を効果的に取り除くとともに、水質を活性化する効果を備えた、複合式濾過ポットを提供する。【解決手段】ポット１と、濾水容器２と、上層フィルター３と、下層フィルター４とからなる。濾水容器２は、ポット１上部に設けられる。上層フィルター３は濾水容器２内に設けられ、下層フィルター４は濾水容器２外に設けられるとともにポット１内に位置し、更に上層フィルター３と下層フィルター４は連通するように結合される。以上の構造により、液体が濾水容器２に入れられた時、水は、まず上層フィルター３によって第一段階の濾過が行われた後、下層フィルター４に流入し、更に液体は、下層フィルター４によって第二段階の濾過が行われ、最後にポット１内に入る。これにより、液体は、上層フィルター３・下層フィルター４によって多段階で濾過される。【選択図】図１
0003195695.tif 000002
【実用新案登録請求の範囲】
【請求項１】
ポットと、濾水容器と、上層フィルターと、下層フィルターとからなる複合式濾過ポットであって、
前記ポットには、第一スペースが設けられ、
前記第一スペースと前記ポット頂部が接する位置には、第一開口が設けられ、
前記濾水容器は、前記ポットの第一スペース内に設けられるとともに前記第一開口と接し、且つ前記濾水容器には第二スペースが設けられ、
前記第二スペースと前記濾水容器頂部が接する位置には、第二開口が設けられ、
更に前記濾水容器の底部には、第一穿孔が設けられ、
前記上層フィルターは、前記濾水容器の第二スペース内に設けられるとともに、前記上層フィルターには、第一ケース体が設けられ、
前記第一ケース体は、外部に複数の第二穿孔が設けられるとともに、前記第一ケース体底部には第三穿孔が設けられ、且つ前記第一ケース体の前記第三穿孔周縁には、延伸した形状の第一接続部が設けられ、
前記第一接続部は、前記第三穿孔と連通するとともに、前記濾水容器の第一穿孔に貫設され、
前記下層フィルターは、前記上層フィルターと連通するように結合されるとともに前記ポットの第一スペース内に設けられ、且つ前記下層フィルターには第三ケース体が設けられ、
前記第三ケース体は、底部に複数の第五穿孔が設けられるとともに、前記第三ケース体頂部には第二接続部が凹設され、
前記第二接続部内には、第六穿孔が設けられ、
更に前記下層フィルターは、前記濾水容器の外部底面に設けられるとともに、前記第二接続部によって前記上層フィルターの第一接続部と互いに結合され、且つ前記上層フィルターの第三穿孔と前記下層フィルターの第六穿孔は互いに連通することを特徴とする、複合式濾過ポット。
【請求項２】
前記濾水容器における前記第二開口周縁には、結合部が設けられ、
前記結合部は、前記ポットの第一開口周縁に係止されることを特徴とする、請求項１に記載の複合式濾過ポット。
【請求項３】
更に前記上層フィルターは、第二ケース体と、少なくとも一つの第一フィルター材と、少なくとも一つの第二フィルター材と、少なくとも一つの第三フィルター材と、密封ガスケットとからなり、
前記第二ケース体は、前記第一ケース体内部に設けられるとともに、前記第二ケース体外部には複数の第四穿孔が設けられ、
前記第一フィルター材は、前記第一ケース体内部における前記第二ケース体との間に設けられるとともに、前記第一フィルター材は前記第二ケース体を覆い包み、
前記第二フィルター材は、前記第二ケース体内に設けられるとともに、前記第三穿孔と対応する位置に設けられ、
前記第三フィルター材は、前記第一ケース体内部底面と前記第二ケース体との間に設けられるとともに、前記第三穿孔と対応する位置に設けられ、
前記密封ガスケットは、前記第一ケース体の第一接続部外部に嵌められることを特徴とする、請求項１に記載の複合式濾過ポット。
【請求項４】
前記第三ケース体の内部底面には、更に第四ケース体が設けられ、
前記第四ケース体は、底部が前記第五穿孔と連通するとともに、前記第四ケース体頂部には第七穿孔が設けられることを特徴とする、請求項１に記載の複合式濾過ポット。
【請求項５】
更に前記下層フィルターは、第五ケース体と、少なくとも一つの第四フィルター材と、少なくとも一つの第五フィルター材と、少なくとも一つの第六フィルター材と、少なくとも一つの第七フィルター材と、少なくとも一つの第八フィルター材とからなり、
前記第五ケース体は、前記第三ケース体内部に設けられるとともに、前記第五ケース体頂部には複数の第八穿孔が設けられ、前記第五ケース体側辺には第九穿孔が設けられ、
前記第四フィルター材は、前記第三ケース体内部における前記第五ケース体との間に設けられるとともに、前記第四フィルター材は前記第五ケース体を覆い包み、
前記第五フィルター材は、前記第五ケース体内部に設けられ、
前記第六フィルター材は、前記第三ケース体内部に設けられるとともに、前記第六フィルター材は前記第四フィルター材下方と前記第四ケース体上方の間に位置し、
前記第七フィルター材は、前記第四ケース体内部に設けられ、
前記第八フィルター材は、前記第三ケース体内部に設けられるとともに、前記第八フィルター材は前記第六フィルター材と第四ケース体との間のスペースに位置することを特徴とする、請求項４に記載の複合式濾過ポット。
【請求項６】
前記第九穿孔は、前記第八穿孔と隣接するとともに、前記第五ケース体頂部に近い位置に設けられることを特徴とする、請求項５に記載の複合式濾過ポット。
【考案の詳細な説明】
【技術分野】
【０００１】
本考案は、複合式濾過ポットに関し、特に上層・下層フィルターによって液体を多段階で濾過することができる、複合式濾過ポットに関する。
【背景技術】
【０００２】
一般家庭で用いられる水道水は、砂・細菌・藻類・重金属等の不純物を含んでおり、適切な処理や濾過等を施さずに長期飲用した場合、人の健康に悪影響を及ぼしやすい。しかし、一般家庭の使用者が水道水を濾過するしようとする時、多くは濾過装置を一通り揃える方法をとり、専門のスタッフが取り付けを行う必要がある。また、固定設置と管接続のため自由に動かすことができず、家庭内でしか使用できない。濾過装置は設置費用が高く、定期的にフィルターを交換する手間もかかる。これらは、いずれも従来の濾過装置における欠点である。
【考案の概要】
【考案が解決しようとする課題】
【０００３】
そこで、本考案は、上層・下層フィルターによって液体を多段階で濾過することができる、複合式濾過ポットを提供することを目的とする。
【課題を解決するための手段】
【０００４】
上述の目的を達成するため、本考案は、ポットと、濾水容器と、上層フィルターと、下層フィルターとからなる。濾水容器は、ポットの上部に設けられる。上層フィルターは、濾水容器内に設けられるとともに、上層フィルター内部には複数のフィルター材が設けられる。下層フィルターは、濾水容器外に設けられるとともにポット内に位置し、且つ下層フィルター内部には複数のフィルター材が設けられる。また、上層フィルターと下層フィルターは、互いに連通するよう結合される。以上の構造により、液体（例：水）が濾水容器に入れられた時、液体は、まず上層フィルターによって第一段階の濾過が行われた後、下層フィルターに流入し、更に液体は、下層フィルターによって第二段階の濾過が行われる。同時に、下層フィルター内に設けられた特殊内部カップに、例えばアルカリ石・マグネシウム・バイオ石…等の各種素材によるフィルター材を予め入れるとともに、フィルター材を溶解活性化させておく。最後に液体は、ポット内に流入する。以上により、液体は、上層フィルター・下層フィルターによって、多段階で濾過される。
【考案の効果】
【０００５】
以上の構造によってなる本考案は、水中の不純物・微生物を効果的に濾過して取り除くとともに、水質を活性化するという効果を得ることができる。
【図面の簡単な説明】
【０００６】
【図１】本考案の複合式濾過ポットの分解図である。
【図２】本考案の複合式濾過ポットの組合せ図である。
【図３】本考案の複合式濾過ポットの上層フィルターを示した側視断面図である。
【図４】本考案の複合式濾過ポットの下層フィルターを示した側視断面図である。
【図５】本考案の複合式濾過ポットの上層フィルターと下層フィルターの組合せを示した側視断面図である。
【図６】本考案の複合式濾過ポットの実施例２を示した組合せ図である。
【考案を実施するための形態】
【０００７】
（実施例１）
図１〜６を参照する。本考案の複合式濾過ポットは、ポット１と、濾水容器２と、上層フィルター３と、下層フィルター４とからなる。
【０００８】
ポット１には、第一スペース１０が設けられ、第一スペース１０とポット１頂部が接する位置には第一開口１１が設けられる。
【０００９】
濾水容器２は、ポット１の第一スペース１０内に設けられるとともにポット１の第一開口１１と接し、且つ濾水容器２はポット１の上部に位置する。また濾水容器２には、第二スペース２０が設けられ、第二スペース２０と濾水容器２頂部が接する位置には第二開口２１が設けられ、第二開口２１周縁には結合部２２が設けられる。結合部２２がポット１の第一開口１１周縁に係止されることにより、濾水容器２はポット１上部に固定される。更に濾水容器２の底部には、第一穿孔２３が設けられる。
【００１０】
上層フィルター３は、濾水容器２の第二スペース２０内に設けられる。また上層フィルター３は、第一ケース体３１と、第二ケース体３２と、少なくとも一つの第一フィルター材３３と、少なくとも一つの第二フィルター材３４と、少なくとも一つの第三フィルター材３５と、密封ガスケット３６とからなる。
【００１１】
上述した第一ケース体３１は、外部に複数の第二穿孔３１１が設けられ、底部に第三穿孔３１２が設けられる。更に第一ケース体３１における第三穿孔３１２周縁には、延伸した形状の第一接続部３１３が設けられる。第一接続部３１３は、第三穿孔３１２と連通するとともに、濾水容器２の第一穿孔２３に貫設される。
【００１２】
上述した第二ケース体３２は、第一ケース体３１内部に設けられるとともに、第二ケース体３２の外部には複数の第四穿孔３２１が設けられる。
【００１３】
上述した第一フィルター材３３は、第一ケース体３１内部における第二ケース体３２との間に設けられるとともに、第一フィルター材３３は第二ケース体３２を覆い包む。また第一フィルター材３３は、カーボンブロックである。
【００１４】
上述した第二フィルター材３４は、第二ケース体３２内に設けられるとともに、第三穿孔３１２の位置と対応する。
【００１５】
上述した第三フィルター材３５は、第一ケース体３１内部底面と第二ケース体３２の間に設けられるとともに、第三穿孔３１２の位置と対応する。また第三フィルター材３５は、不織布である。
【００１６】
上述した密封ガスケット３６は、第一ケース体３１の第一接続部３１３外部に被せられる。
【００１７】
下層フィルター４は、上層フィルター３と連通するように結合されるとともに、濾水容器２外部底部に設けられ、且つポット１の第一スペース１０内に位置する。また下層フィルター４は、第三ケース体４１と、第五ケース体４２と、少なくとも一つの第四フィルター材４３と、少なくとも一つの第五フィルター材４４と、少なくとも一つの第六フィルター材４５と、少なくとも一つの第七フィルター材４６と、少なくとも一つの第八フィルター材４７とからなる。
【００１８】
上述した第三ケース体４１は、底部に複数の第五穿孔４１１が設けられ、頂部に第二接続部４１２が凹設され、更に第二接続部４１２内には第六穿孔４１３が設けられる。第二接続部４１２は、上層フィルター３の第一接続部３１３と結合され、下層フィルター４の第六穿孔４１３と上層フィルター３の第三穿孔３１２は互いに連通する。更に、第三ケース体４１内部底面には、第四ケース体４１４が設けられる。第四ケース体４１４底部と第五穿孔４１１は連通し、第四ケース体４１４頂部には第七穿孔４１５が設けられる。
【００１９】
上述した第五ケース体４２は、第三ケース体４１内部に設けられるとともに、第五ケース体４２頂部には複数の第八穿孔４２１が設けられ、側辺には第九穿孔４２２が設けられる。第九穿孔４２２は、第八穿孔４２１と隣接するとともに第五ケース体４２頂部に近い位置に設けられる。
【００２０】
上述した第四フィルター材４３は、第三ケース体４１内部における第五ケース体４２との間に設けられるとともに、第四フィルター材４３は第五ケース体４２を覆い包む。また第四フィルター材４３は、カーボンブロックである。
【００２１】
上述した第五フィルター材４４は、第五ケース体４２内部に設けられる。また第五フィルター材４４は、マグネシウム・アルカリ石・バイオ陶石の混合物である。
【００２２】
上述した第六フィルター材４５は、第三ケース体４１内部に設けられるとともに第四ケース体４１４上方に位置し、且つ第六フィルター材４５は第四フィルター材４３下方に位置する。また第六フィルター材４５は、綿素材である。
【００２３】
上述した第七フィルター材４６は、第四ケース体４１４内部に設けられる。また第七フィルター材４６は、バイオセラミックスである。
【００２４】
上述した第八フィルター材４７は、第三ケース体４１内部に設けられるとともに、第六フィルター材４５と第四ケース体４１４の間のスペースに設けられる。また第八フィルター材４７は、マグネシウムである。
【００２５】
上述した濾水容器２は、ポット１の第一開口１１に架設されて、ポット１の上部に設けられる。また上層フィルター３は、濾水容器２の第二スペース２０内に設けられ、上層フィルター３の第一接続部３１３は濾水容器２の第一穿孔２３に貫設される。更に下層フィルター４は、濾水容器２外部底部に位置するとともに、下層フィルター４の第二接続部４１２が上層フィルター３の第一接続部３１３と連通するように結合される。尚、第一接続部３１３と第二接続部４１２は、螺合或いは継合等の方法によって固定され、更に密封ガスケット３６が第一接続部３１３外部に嵌められることにより、濾水容器２内部の液体が第一穿孔２３から漏れ出ることを防ぐ。
【００２６】
液体（例：水）が濾水容器２に入れられた時、液体は、上層フィルター３の第二穿孔３１１から上層フィルター３内部へ流入し、第一フィルター材３３に浸透して第二ケース体３２に至り、第四穿孔３２１から第二ケース体３２内部へ流入し、更に第二フィルター材３４・第三フィルター材３５に浸透して第三穿孔３１２まで至り、第三穿孔３１２から流出する。以上のように液体は、まず上層フィルター３によって第一段階の濾過が行われる。続いて、液体（例：水）は、第三穿孔３１２から下層フィルター４の第六穿孔４１３に流入した後、第八穿孔４２１を経由して第五ケース体４２内に流入し、更に第五フィルター材４４に浸透して第九穿孔４２２から流出した後、第四フィルター材４３に浸透して第三ケース体４１内部に至る。この時、一部の液体は、第六フィルター材４５で濾過された後、第七穿孔４１５から第四ケース体４１４内に流入し、第七フィルター材４６に浸透して第五穿孔４１１から流出する。また、別の一部の液体は、第六フィルター材４５で濾過された後、直接第八フィルター材４７に浸透して第五穿孔４１１から流出する。以上により、液体は、上層フィルター３・下層フィルター４によって濾過されてポット１内に流入する。このように、上層フィルター３・下層フィルター４が液体を多段階で濾過することにより、効果的に水中の不純物・微生物を取除くとともに、水質を活性化する効果が得られる。
【００２７】
液体（例：水）が第五ケース体４２内に入っており、且つ後続の水が入れられていない時、第九穿孔４２２が第五ケース体４２頂部近くの高い位置にあるため、一部の液体は第五ケース体４２内に残されて、第五ケース体４２内の第五フィルター材４４に比較的長い時間浸されることになる。このため、第五ケース体４２内に残された一部の液体は、分子がより高い活性を備えることになる。また、ポット１を傾けて水を注ぐ時、第五ケース体４２内に残された一部の液体（より高い活性を備えている）は、第九穿孔４２２から溢れ出して、既に濾過された液体と混ざり合う。これにより、既に濾過された液体の活性を高めることができる。
【００２８】
（実施例２）
更に本考案には、蓋体５が設けられる。蓋体５は、濾水容器２の第二開口２１に被せられるとともに、蓋体５には開閉蓋５１が設けられる。
【符号の説明】
【００２９】
１            ポット
１０   第一スペース
１１   第一開口
２            濾水容器
２０   第二スペース
２１   第二開口
２２   結合部
２３   第一穿孔
３            上層フィルター
３１   第一ケース体
３１１ 第二穿孔
３１２ 第三穿孔
３１３ 第一接続部
３２   第二ケース体
３２１ 第四穿孔
３３   第一フィルター材
３４   第二フィルター材
３５   第三フィルター材
３６   密封ガスケット
４            下層フィルター
４１   第三ケース体
４１１ 第五穿孔
４１２ 第二接続部
４１３ 第六穿孔
４１４ 第四ケース体
４１５ 第七穿孔
４２   第五ケース体
４２１ 第八穿孔
４２２ 第九穿孔
４３   第四フィルター材
４４   第五フィルター材
４５   第六フィルター材
４６   第七フィルター材
４７   第八フィルター材
５            蓋体
５１   開閉蓋
【図１】
0003195695.tif 000003
【図２】
0003195695.tif 000004
【図３】
0003195695.tif 000005
【図４】
0003195695.tif 000006
【図５】
0003195695.tif 000007
【図６】
0003195695.tif 000008